(57)【要約】【課題】スイッチバック工程の際、被記録媒体が受ける衝撃を最小限に抑えることができ、バンディングを確実に排除できるシート搬送機構を提供する。【解決手段】本発明は、シート状の被記録媒体を圧接して搬送する一対の圧接搬送手段と、該圧接搬送手段から送り出された前記被記録媒体の搬送方向を変更するターンガイド面を備えるガイド体と、前記被記録媒体の搬送方向におけるカール度合いを検出する検出手段と、を備え、該検出手段の検出結果に応じて前記ターンガイド面の位置を調整可能に構成されてなる。【選択図】図４
2007153522.tif 000002
【特許請求の範囲】
【請求項１】
シート状の被記録媒体を圧接して搬送する一対の圧接搬送手段と、
該圧接搬送手段から送り出された前記被記録媒体の搬送方向を変更するターンガイド面を備えるガイド体と、
前記被記録媒体の搬送方向におけるカール度合いを検出する検出手段と、を備え、
該検出手段の検出結果に応じて前記ターンガイド面の位置を調整可能に構成されてなる、
ことを特徴とするシート搬送機構。
【請求項２】
前記圧接搬送手段下流側に前記被記録媒体の先端を検出する複数のセンサを配置し、
前記検出手段は、前記複数のセンサの検出結果を用いて前記カール度合いを検出する、
ことを特徴とする請求項１に記載のシート搬送機構。
【発明の詳細な説明】
【技術分野】
【０００１】
本発明は、シート搬送機構に関し、特に、写真処理を目的としてシート状の感光材料等を搬送するシート搬送機構に関する。
【背景技術】
【０００２】
従来より、写真処理装置は、処理内容の異なる複数の処理部を有し、各処理部間及び各処理部内で搬送機構により被記録媒体（感光材料）を搬送し、各処理部内で前記被記録媒体に対して目的の処理を施すことで、結果物（写真プリント）を生成する、という構成となっている。
【０００３】
この種の一般的な写真処理装置は、図６に示すように、前段のプリンタ部Ａと後段のプロセッサ部Ｂとに大別される。プリンタ部Ａでは、マガジン６１内でロール状に巻回され、該マガジン６１から引き出された長尺の感光材料Ｐを主搬送ユニット６２で搬送し、カッター６３で所定の長さに切断した後、該切断した感光材料Ｐを搬送ユニット６４で略水平方向に搬送して露光処理部６５に引き渡し、ここで露光を行うといった一連の処理が行われる。プロセッサ部Ｂでは、露光後の感光材料Ｐを現像処理部６７で現像、漂白、定着及び安定化した後、乾燥処理部６８で温風を吹き付けて乾燥させるといった一連の処理が行われる。
【０００４】
連結部Ｃでは、搬送ユニット６６により、露光処理部６５から露光処理を終えて略水平方向に搬出される感光材料Ｐを受け取り、その表裏を反転させ（いわゆる「スイッチバック」）、縦向きにした状態で上方に移動させて、プロセッサ部Ｂの上方位置に送り込む処理が行われる。
【０００５】
前記スイッチバック工程の間、感光材料Ｐの露光処理は継続して行われている。したがって、かかるスイッチバック工程で大きな衝撃が感光材料Ｐに加わると、感光材料Ｐの搬送速度が乱され、露光処理に影響を及ぼす場合がある。その結果、帯状の露光ムラが生じる、いわゆる「バンディング」が発生してしまう虞がある。
【０００６】
これを防止するため、前記スイッチバック工程では、ターンガイドを使用することで、感光材料Ｐの搬送方向の変更をスムーズにするという対策が講じられている。具体的には、図７（イ）に示すように、ターンガイドの先端に傾斜部（Ｒ形状部でもよい）を設けることで（以下、かかる部分をターンガイド面と呼ぶ）、搬送ローラ対７１から送り出された感光材料Ｐを下方向に緩やかに導き、搬送方向の変更に係る衝撃を抑えている。
【発明の開示】
【発明が解決しようとする課題】
【０００７】
ところで、感光材料Ｐは、上述したようにマガジン６１内でロール状に巻回されていることから、必然的にその長手方向にカール癖（巻き癖）がついている。また、そのカール量（カール度合い）は、製造時からの経過時間やロール径の大きさ等の種々の条件で変化する。
【０００８】
したがって、ターンガイドを固定配置する従来の構成では、搬送する感光材料Ｐのカール度合いが大きい場合、感光材料Ｐの先端が、ターンガイド面でない部分（即ち、ターンガイドの平坦部）に当接してしまう現象が発生し（図７（ロ）参照）、結果としてバンディングが発生してしまう虞がある。
【０００９】
本発明は、上記問題を解決すべくなされたものであり、搬送する被記録媒体のカール度合いに応じて、ターンガイド面を適切な位置に調整することのできるシート搬送機構を提供することを目的とする。
【課題を解決するための手段】
【００１０】
本発明に係るシート搬送機構は、シート状の被記録媒体を圧接して搬送する一対の圧接搬送手段と、該圧接搬送手段から送り出された前記被記録媒体の搬送方向を変更するターンガイド面を備えるガイド体と、前記被記録媒体の搬送方向におけるカール度合いを検出する検出手段と、を備え、該検出手段の検出結果に応じて前記ターンガイド面の位置を調整可能に構成されてなる、ことを特徴とする。
【００１１】
上記構成のシート搬送機構によれば、搬送する被記録媒体の搬送方向を変更する際、予め、当該被記録媒体のカール度合いを検出し、その検出結果（即ち、カール度合い）に応じて、ターンガイド面を位置調整することができるため、搬送する被記録媒体のカール度合いによって、当該被記録媒体の先端がターンガイド面でない部分に当接してしまう現象を確実に防止でき、被記録媒体の搬送方向の変更をスムーズにすることができる。これにより、搬送方向変更の際に被記録媒体に加わる衝撃を最小限に抑えられるので、前記圧接搬送手段（の圧接ポイント）上流側の処理（例えば、露光処理）において、前記衝撃を起因とする悪影響（例えば、バンディング）を確実に排除することが可能となる。
【００１２】
ここで、ターンガイド面とは、搬送方向の変更を緩やかにするためのガイド面であり、例えば、前記ガイド体において、その先端が圧接搬送手段側に傾斜している部分やＲ形状部分等がこれに該当する。
【００１３】
また、前記ターンガイド面の位置調整には、ガイド体の位置を調整する（例えば、ステッピングモータ等による昇降移動制御、あるいはガイド体の傾動制御等）ことで間接的に行う調整や、ターンガイド面の位置（傾斜角度等）のみを独立して調整する（傾動制御）ことも含まれる。
【００１４】
また、前記検出手段によるカール度合いの検出態様は種々考えられるが、前記圧接搬送手段下流側に前記被記録媒体の先端を検出する複数のセンサを配置し、前記検出手段は、前記複数のセンサの検出結果を用いて前記カール度合いを検出する、という構成を採用すると、検出精度の向上が図れる。
【発明の効果】
【００１５】
以上の如く、本発明のシート搬送機構によれば、搬送方向の変更の際、搬送する被記録媒体のカール度合いよって当該被記録媒体の先端がターンガイド面でない部分に当接してしまう現象を確実に防止でき、被記録媒体が受ける衝撃を最小限に抑えることができる。したがって、上流側の処理において、かかる衝撃に起因する悪影響を確実に排除でき、品質の維持が図れる。
【発明を実施するための最良の形態】
【００１６】
以下、本発明の一実施形態について図面を参酌しつつ説明する。
【００１７】
図１は、本実施形態に係るシート搬送機構を組み込んだ写真処理装置１の外観図であり、図２は、該写真処理装置１の内部構成を示すブロック図である。
【００１８】
写真処理装置１は、写真処理装置１全体を制御する制御部１０と、画像データを基に感光材料Ｐに露光処理を施す露光処理部（露光処理装置）２０と、露光処理部２０で露光処理された感光材料Ｐに対して現像処理を施す現像処理部３０と、現像処理された感光材料Ｐを乾燥処理する乾燥処理部４０とを備えている。
【００１９】
図２に示すように、制御部１０は、各処理の処理状況や操作案内等を表示するモニタ１００と、該モニタ１００の表示に基づいて入力操作を行うための入力手段１０１と、露光処理部２０で感光材料Ｐに露光処理を行うための画像データを読み取る読取手段１０２と、露光処理を行うに際し、各種処理や写真処理装置１の実質的な制御を行う演算処理装置１０３とを備えている。
【００２０】
モニタ１００には、ブラウン管モニタあるいは液晶モニタを採用することができ、本実施形態では、ブラウン管モニタが採用されている。入力手段１０１には、キーボード１０１ａとマウス１０１ｂとが採用されている。
【００２１】
本実施形態に係る読取手段１０２には、帯状のフィルムＦに形成された複数のコマ画像を読み取るフィルムスキャナ１０２ａと、ＣＤ−Ｒ／ＲＷやメモリカード等の各種メディアからデータ（例えば、画像データ）を読み込むメディアドライブ１０２ｂとが採用されている。フィルムスキャナ１０２ａは、フィルムＦを長手方向に搬送しつつ、フィルムＦから各コマ画像を画像データとして順々に読み取るようになっており、読み取った各画像データを演算処理装置１０３に伝送するようになっている。演算処理装置１０３は、実質的な演算を行うＣＰＵ１０４、該ＣＰＵ１０４に演算を実行させるためのソフトウェア等が記憶されるＲＡＭ１０５やＲＯＭ１０６等から構成されており、Ｉ／Ｏインターフェース（図示せず）を介してモニタ１００や読取手段１０２（１０２ａ，１０２ｂ）と電気的に接続している。
【００２２】
露光処理部２０は、ロール状に巻回された長尺な感光材料Ｐを収納するマガジン２００ａと、該マガジン２００ａから引き出された感光材料Ｐを所定の長さで切断する切断装置２０１と、該切断装置２０１により切断された感光材料Ｐを露光処理する露光ユニット２０２と、前記露光処理部２０内の各構成間で感光材料Ｐを搬送し、マガジン２００ａから引き出された感光材料Ｐを下流側（現像処理部３０）に搬送するための搬送系２０３とを備えている。
【００２３】
マガジン２００ａは、ロール状にした感光材料Ｐを軸支可能に構成され、感光材料Ｐを長手方向に円滑に引き出させるようになっている。尚、本実施形態では、マガジン２００ａに収納される感光材料Ｐは、乳剤面を外側にして芯材に対しロール状に巻回されている。
【００２４】
本実施形態に係る写真処理装置１は、露光処理部２０、現像処理部３０、及び乾燥処理部４０を一体化するための筐体２に対し、オプション（追加）のマガジン２００ｂを収容するための補助筐体３を連結できるようになっている。そして、補助筐体３を筐体２に連結することで、筐体２内に収容したマガジン２００ａから引き出される感光材料Ｐの搬送経路に対し、オプションのマガジン２００ｂから引き出される感光材料Ｐの搬送経路が合流するようになっている、尚、図示しないが、上述の搬送経路の合流部分には、搬送経路を切り換えるための搬送経路切換機構が設けられており、何れか一方のマガジン２００ａ，２００ｂから引き出された感光材料Ｐを下流側に搬送できるようになっている。
【００２５】
切断装置２０１は、一対のカッター２０４ａ，２０４ｂを備えており、該一対のカッター２０４ａ，２０４ｂを接離させることで、マガジン２００ａ，２００ｂから引き出された感光材料Ｐを所定サイズに切断するようになっている。
【００２６】
露光ユニット２０２は、感光材料Ｐを搬送する露光部搬送系２０５と、露光部搬送系２０５で搬送される感光材料Ｐの乳剤面を露光する露光エンジン２０６とを備えている。
【００２７】
露光部搬送系２０５は、図３に示すように、感光材料Ｐに対する露光領域Ａを挟んで上流側及び下流側に配設された二組のローラ対２０７，２０８で構成されており、感光材料Ｐを横方向（略水平方向）に搬送するようになっている。該二組のローラ対２０７，２０８のそれぞれは、一方のローラ（下側のローラ）２０７ａ，２０８ａに対して他方のローラ（上側のローラ）２０７ｂ，２０８ｂが接離可能に設けられており、感光材料Ｐを圧着した状態と圧着を解除した状態とに切り換え可能になっている。
【００２８】
露光部搬送系２０５の下流側のローラ対２０８は、感光材料Ｐが到達するまで圧着を解除した状態で待機し、露光領域Ａを通過した感光材料Ｐの先端が、そのローラ対２０８間に進入した状態で該感光材料Ｐを圧着するようになっている。また、露光部搬送系２０５の上流側のローラ対２０７は、圧着した感光材料Ｐの後端が該ローラ対２０７の圧着部分を通過する前に圧着を解除するようになっている。このように、二組のローラ対２０７，２０８の圧着とその解除とを切り換えること（いわゆる、踏み替え）で、感光材料Ｐの先端が下流側のローラ対２０８間に進入する際や、感光材料Ｐの後端が上流側のローラ対２０７を通過する際に、感光材料Ｐにバンディングが生じるのを防止し、露光処理に影響を与えることなく感光材料Ｐを下流側に搬送できるようになっている。
【００２９】
本実施形態に係る露光エンジン２０６は、レーザー光源（図示しない）や、該レーザー光源からのレーザー光を前記露光領域Ａにまで導く光学系（例えば、ポリゴンミラーやレンズ：図示しない）等を備えた、いわゆるレーザーエンジンが採用されている。尚、露光エンジン２０６には、ハロゲンランプ等からなる光源と、該光源に光ファイバー束を介して接続された光シャッター（ＰＬＺＴ）とで構成されたものであってもよい。
【００３０】
図２に戻り、搬送系２０３は、マガジン２００ａから切断装置２０１まで感光材料Ｐを搬送する第一搬送系２１０と、切断装置２０１で切断された感光材料Ｐを露光ユニット２０２まで搬送する第二搬送系２２０と、露光ユニット２０２で露光処理中の感光材料Ｐを受け取った後に、その感光材料Ｐを下流側の現像処理部３０に搬送する第三搬送系２３０とで構成されている。
【００３１】
第一搬送系２１０は、複数のローラ対２１１…が感光材料Ｐの搬送経路に沿って配設されて構成され、各ローラ対２１１…の一方のローラ２１１ａを駆動することによって、感光材料Ｐを下流側（第二搬送系２２０）に向けて搬送するようになっている。
【００３２】
第二搬送系２２０は、第一搬送系２１０によって送られてくる感光材料Ｐの先端部を把持する第一把持機構２２１と、切断装置２０１の直下流側と露光ユニット２０２の直上流側とに跨るように設けられ、第一把持機構２２１を切断装置２０１と露光ユニット２０２との間で略直線状の軌道（略水平状の軌道）上で案内するガイドレール２２２と、第一把持機構２２１をガイドレール２２２に沿って往復移動させる駆動系（図示せず）とを備えている。かかる第二搬送系２２０は、第一搬送系２１０とは異なり、感光材料Ｐの先端部を第一把持機構２２１に把持させた状態で、該第一把持機構２２１を下流側に移動させることで、感光材料Ｐを搬送するようになっている。
【００３３】
第三搬送系２３０は、露光処理部２０と下流側の現像処理部３０との間で感光材料Ｐを受け渡す役目を担うもので、図３に示すように、上流側の露光領域Ａで露光処理中の感光材料Ｐを受け取り、該感光材料Ｐの搬送方向を変換して感光材料Ｐの表裏を反転させるリバース機構２４０と、該リバース機構２４０で表裏が反転された感光材料Ｐを受け取って下流側に搬送する搬送機構２５０と、該搬送機構２５０で搬送されてきた感光材料Ｐを受け取って下流側（現像処理部３０）に送り出すための受取ユニット２６０とで構成されている。
【００３４】
図３及び図４に示すように、リバース機構２４０は、上流側から搬送されてきた感光材料Ｐを受け取って下流側に搬送する圧着搬送ユニット２７０と、搬送されてきた感光材料Ｐの搬送方向を変更させるためのターンガイド機構２８０と、搬送されてきた感光材料Ｐの先端を検出するセンサＳ１，Ｓ２とを備えている。
【００３５】
圧着搬送ユニット２７０は、上流側から搬送されてくる露光処理中の感光材料Ｐの一方の面側に感光材料Ｐを案内する第一ガイド体２７１と、感光材料Ｐの他方の面側に感光材料Ｐを案内する第二ガイド体２７２と、搬送ローラ対２７３（圧接搬送手段）と、これらを支持するためのフレーム２４１を備えている。
【００３６】
搬送ローラ対２７３は、駆動ローラ２７３ａと圧着ローラ２７３ｂからなり、第一ガイド体２７１及び第二ガイド体２７２に案内される感光材料Ｐを両面側から圧着して下流側に搬送する。
【００３７】
フレーム２４１は、搬送機構２５０の起立した板状のベースフレーム２５１の一方の面に突設された一対の取付ブラケット２５２，２５２間に設けられ、該取付ブラケット２５２，２５２に感光材料Ｐの搬送方向と直行する方向に延びる軸（駆動ローラ２７３ａの軸）Ｘ周りで９０°の範囲で回転可能に設けられている。即ち、駆動ローラ２７３ａの軸Ｘ（実際には、軸Ｘの両端部）が、フレーム２４１の回転軸として機能するようになっている。
【００３８】
ターンガイド機構２８０は、搬送ローラ対２７３による圧着領域を通過した感光材料Ｐを下方に導くためのターンガイド体２８１と、該ガイド体を縦方向（略垂直方向）に移動させるターンガイド移動体２８５とを備えている。
【００３９】
ターンガイド体２８１には、搬送ローラ対２７３から送られてくる感光材料Ｐを円滑に下方向に導くべく、上端から一部分が圧着搬送ユニット２７０側に曲げ加工されたターンガイド面２８２が設けられている。
【００４０】
ターンガイド移動体２８５は、ステッピングモータ等のガイド移動用モータ２８６の回転軸２８７に巻き回された無端状の駆動ベルト２８８によって、ターンガイド体２８１を上下方向に往復移動させる。
【００４１】
センサＳ１，Ｓ２は、搬送ローラ対２７３による圧着領域を通過した感光材料Ｐの先端を検出するための反射型の光センサであり、前記圧着領域通過後の搬送経路（略水平搬送の範囲）に沿うようにして第一ガイド体２７１の下側に配置されている。該第一ガイド体２７１には、センサＳ１，Ｓ２の配置に適合させた光透過用の開口部が形成されている。また、センサＳ１，Ｓ２は、それぞれの検出範囲の中心を結ぶ距離がＬ（ｍｍ）となるように配置されている。
【００４２】
リバース機構２４０は、圧着搬送ユニット２７０（フレーム２４１）を軸Ｘ周りで回転させることで、上流側（露光ユニット２０２の露光領域Ａ）から横方向（略水平方向）に搬送されてくる感光材料Ｐを受け取る第一姿勢と、受け取った感光材料Ｐを横方向と略直交する縦方向（上方）に送り出す第二姿勢とに切り換わるようになっている（スイッチバック）。即ち、リバース機構２４０は、フレーム２４１を軸Ｘ周りで９０°回転させることで、横方向に搬送されてくる感光材料Ｐをそのままの姿勢で第一ガイド体と第二ガイド体２７２との間に進入させる第一姿勢と、第一ガイド体２７１と第二ガイド体２７２との間から縦方向に感光材料Ｐを送り出す第二姿勢とに切り換え可能になっている。
【００４３】
搬送機構２５０は、図３に示すように、第二姿勢になった圧着搬送ユニット２７０から送り出される感光材料Ｐを把持可能に構成されると共に、縦方向（略垂直方向）及び横方向（略水平方向）に移動可能に構成された第二把持機構２５３を備えている。搬送機構２５０は、第二把持機構２５３を縦方向に移動させつつ横方向にも移動させることで、把持した感光材料Ｐを二列に振り分けて、受取ユニット２６０に渡す振り分け搬送と、第二把持機構２５３を縦方向にだけ移動させ、把持した感光材料Ｐを真っ直ぐそのまま受取ユニット２６０に渡す単列搬送とを行えるようになっている。
【００４４】
現像処理部３０は、受取ユニット２６０を介して送り込まれてくる感光材料Ｐに対して、現像、漂白、定着、安定化等の処理を行う。
【００４５】
乾燥処理部４０は、現像処理部３０から送られてきた感光材料Ｐに熱風を吹き付け、感光材料Ｐに付着した現像処理液（水分）を乾燥させるようになっている。
【００４６】
以上の構成からなる本実施形態の写真処理装置１は、第三搬送系２３０のリバース機構２４０に従来にはない優れた特徴を有する。以下、かかる点についてその作動例を示しながら詳細に説明する。
【００４７】
上述したように、感光材料Ｐは、搬送ローラ対２７３による圧着領域を通過後、第一ガイド体２７１に従って搬送される間に、センサＳ１，Ｓ２によってその先端が検出される。
【００４８】
センサＳ１，Ｓ２のかかる検出情報（信号）は、制御部１０の演算処理装置１０３に送られる。演算処理装置１０３は、前記検出情報、搬送速度（mm/秒）、上述したセンサＳ１，Ｓ２間距離Ｌ（mm）等のパラメータを基にして、当該感光材料Ｐのカール度合い（量）を求める。更に、演算処理装置１０３は、この求めたカール度合いに対応するターンガイド体２８１（即ち、ターンガイド面２８２）の移動量を求める。該移動量は、搬送されてくる感光材料Ｐの先端がターンガイド面２８２以外の部分に当接してしまうのを防止するため、ターンガイド面２８２（ターンガイド体２８１）を現在位置から適切位置に変更させるための移動量である。具体的には、カール度合いとターンガイド面の位置との関係を示す、実測結果等により作成した変換テーブルや変換式を使用して求めることができる。
【００４９】
そして、演算処理装置１０３は、求めた移動量分、ターンガイド体２８１を移動させるべく、ターンガイド移動体２８５のガイド移動用モータ２８６の制御を行う。具体的には、ガイド移動用モータ２８６の駆動ドライバ（図示せず）に対して、求めた移動量に基づく制御信号を送出する。そして、該駆動ドライバによって、ガイド移動用モータ２８６の回転が制御され、ターンガイド体２８１は、前記求めた移動量に従って移動を行う。
【００５０】
以上のように、本実施形態の写真処理装置１によれば、搬送されてくる感光材料Ｐのカール度合いに応じて、ターンガイド面２８２（ターンガイド体２８１）を移動させ得る構成となっているため、図４に示すように、感光材料Ｐの先端がターンガイド面２８２以外の部分に当接してしまうことなく、感光材料Ｐを下方向に円滑に導くことができる。その結果、スイッチバック工程において、感光材料Ｐの搬送方向の変更が緩やかに行われ、その際に当該感光材料Ｐが受ける衝撃を最小限に抑える事が可能となる。したがって、かかる衝撃が起因となる露光処理への悪影響（バンディング等）を確実に排除することが可能となる。
【００５１】
尚、本発明は、上記実施形態に限定されることはなく、本発明の要旨を逸脱しない範囲で種々の変更が可能である。
【００５２】
例えば、上記実施形態では、感光材料Ｐのカール度合いをセンサＳ１，Ｓ２を使用して実測的に求めているが、感光材料Ｐの経時変化や保管状況から経験的に求めることも可能である。前者の場合、例えば、梱包袋等に付けられたＩＣタグやバーコードを読み取ることで感光材料Ｐの製造日時を取得でき、これと現在の日時から経過時間を取得できる。また、後者の場合は、例えば、通常、マガジンの交換の際、感光材料Ｐの残量（即ち、ロール径の大きさ）が保持されるので、かかる情報を使用すればよい。このようにして取得した経過時間又はロール径の大きさに対応するカール度合いは、演算処理装置１０３が保持する（実測テスト等により作成された）変換テーブルや変換式を使用して求めることが可能である。また、経過時間とロール径の大きさの両方の情報を取得し、両者を統合した条件からカール度合いを求めるようにしても構わない。
【００５３】
また、ターンガイド体を上下方向に移動させるための機構として、上記実施形態以外にも、シリンダー機構やボールねじ式機構等も採用可能である。
【００５４】
また、ターンガイド面の位置調整についても、上記実施形態に限定されず、例えば、図５（イ）に示すように、ターンガイド体５１を軸５３を中心に傾動制御可能な構成とすることで、ターンガイド面５２の位置調整をすることも可能である。更に、図５（ロ）に示すように、ターンガイド体５４と独立して、ターンガイド面５５のみを軸５６を中心に傾動制御可能な構成とすることも可能である。
【００５５】
また、リバース機構２４０の前段に公知のデカール機構を設け、デカール処理を施された感光材料Ｐがリバース機構２４０に到達されるようにしてもよい。この場合、上述した方法等により検出したカール度合いに応じてデカールする仕様とすることも可能である。
【図面の簡単な説明】
【００５６】
【図１】本発明の一実施形態に係る写真処理装置の全体正面図である。
【図２】同実施形態に係る写真処理装置の概略構成図である。
【図３】同実施形態に係る写真処理装置の露光エンジンの一部及び第三搬送系の概略正面図である。
【図４】同実施形態に係る写真処理装置の要部拡大図（リバース機構２４０）である。
【図５】他の実施形態におけるターンガイド面の位置調整の態様を示す図であり、（イ）はターンガイド体全体を傾動させるパターン、（ロ）はターンガイド面のみを傾動させるパターンを示す。
【図６】従来の写真処理装置の概略構成図である。
【図７】従来の写真処理装置のスイッチバック工程における感光材料Ｐの方向変更の様子を示す図であり、（イ）は正常パターン（ターンガイド面で下方向に導く）、（ロ）は異常パターン（平坦部に当接）を示す。
【符号の説明】
【００５７】
１…写真処理装置、２…筐体、３…補助筐体、１０…制御部、２０…露光処理部、３０…現像処理部、４０…乾燥処理部、１００…モニタ、１０１…入力手段、１０１ａ…キーボード、１０１ｂ…マウス、１０２…読取手段、１０２ａ…フィルムスキャナ、１０２ｂ…メディアドライブ、１０３…演算処理装置、１０４…ＣＰＵ、１０５…ＲＡＭ、１０６…ＲＯＭ、２００ａ，２００ｂ…マガジン、２０１…切断装置、２０２…露光ユニット、２０３…搬送系、２０４ａ，２０４ｂ…カッター、２０５…露光部搬送系、２０６…露光エンジン、２０７，２０８…ローラ対、２０７ａ，２０８ａ，２０７ｂ，２０８ｂ…ローラ、２１０…第一搬送系、２１１…ローラ対、２１１ａ…ローラ、２２０…第二搬送系、２２１…第一把持機構、２２２…ガイドレール、２３０…第三搬送系、２４０…リバース機構、２４１…フレーム、２５０…搬送機構、２５１…ベースフレーム、２５２…取付ブラケット、２５３…第二把持機構、２６０…受取ユニット、２７０…圧着搬送ユニット、２７１…第一ガイド体、２７２…第二ガイド体、２７３…搬送ローラ対、２７３ａ…駆動ローラ、２７３ｂ…圧着ローラ、２８０…ターンガイド機構、２８１…ターンガイド体、２８２…ターンガイド面、２８５…ターンガイド移動体、２８６…ガイド移動用モータ、２８７…回転軸、２８８…駆動ベルト、Ａ…露光領域、Ｆ…フィルム、Ｐ…感光材料、Ｓ１，Ｓ２…センサ
【図１】
2007153522.tif 000003
【図２】
2007153522.tif 000004
【図３】
2007153522.tif 000005
【図４】
2007153522.tif 000006
【図５】
2007153522.tif 000007
【図６】
2007153522.tif 000008
【図７】
2007153522.tif 000009